(57)【要約】  通信サーバ装置(１０２)は、プロセッサ(１０６)とメモリ(１１８)とを備え、前記プロセッサの制御下で、前記メモリに記憶される命令(１２０)を実行して、通信リンク(１０８、１１０、１１２)上で、発呼装置(１０４)での発呼者入力に関連したＵＲＬ情報を受信する。前記発呼者入力は、受信装置(１０６ａ、１０６ｂ)との通信セッションの要求としての、ＵＲＬの選択又はアクティブ化である。前記受信装置は、前記ＵＲＬ情報を用いて特定され、通信セッションは、前記発呼装置と前記受信装置との間で開始される。前記発呼装置は、前記通信サーバ装置とのインタフェースに対する補完的な機能を実行する。【選択図】図１
2015532802.tif 000002
【特許請求の範囲】
【請求項１】
プロセッサと、メモリと、を備えた通信サーバ装置であって、
前記プロセッサの制御下で、前記メモリに記憶される命令を実行して、
通信リンク上で、発呼装置での発呼者入力に関連したＵＲＬ情報を受信し、
前記ＵＲＬ情報を用いて、受信装置を特定し、
前記発呼装置と前記受信装置との間の通信セッションを開始し、
前記発呼者入力は、前記受信装置との前記通信セッションの要求としての、ＵＲＬの選択又はアクティブ化である、
通信サーバ装置。
【請求項２】
請求項１において、
前記発呼者入力に関連した前記ＵＲＬ情報を受信し、
前記発呼者入力は、前記受信装置の受信ユーザにより定義されたＵＲＬの選択又はアクティブ化である、
ことを特徴とした通信サーバ装置。
【請求項３】
請求項１又は２において、
前記ＵＲＬ情報の受信に応じて、ウェブページ情報を前記発呼装置へ送信し、
前記ウェブページ情報は、前記発呼装置と前記受信装置との間の前記通信セッションを導く（ｃｈａｎｎｅｌｌｉｎｇ）アプリケーション用のアプリケーションコード、を含む、
ことを特徴とした通信サーバ装置。
【請求項４】
請求項３において、
前記発呼装置上のウェブブラウザプログラムのバックグラウンドで動作するアプリケーション用のアプリケーションコードを、前記発呼装置へ送信する、
ことを特徴とした通信サーバ装置。
【請求項５】
請求項３又は４において、
前記発呼装置にｉｎｉｔｉａｔｅ ｃａｌｌ ｒｅｑｕｅｓｔを自通信サーバ装置へ送信させるためのアプリケーションコードを、前記発呼装置へ送信し、
前記ｉｎｉｔｉａｔｅ ｃａｌｌ ｒｅｑｕｅｓｔは、前記受信装置への呼を開始せよとの要求である、
ことを特徴とした通信サーバ装置。
【請求項６】
請求項５において、
前記ｉｎｉｔｉａｔｅ ｃａｌｌ ｒｅｑｕｅｓｔを受信したことに応じ、前記ＵＲＬ情報を用いて前記受信装置用の呼識別子を検索し、前記呼識別子を用いて前記受信装置への呼を開始する、
ことを特徴とした通信サーバ装置。
【請求項７】
請求項１〜６のいずれか一項において、
前記発呼装置と前記受信装置との間の前記通信セッションを、前記発呼装置での前記ＵＲＬの選択又はアクティブ化のみに基づき導く、
ことを特徴とした通信サーバ装置。
【請求項８】
請求項１〜７のいずれか一項において、
前記受信装置は、前記受信ユーザのためのボイスメール（ｖｏｉｃｅｍａｉｌ）サービスであり、
前記発呼装置と前記ボイスメールサービスとの間の通信セッションを開始する、
ことを特徴とした通信サーバ装置。
【請求項９】
請求項１〜８のいずれか一項において、
前記発呼装置、前記受信装置及び第三者（ｔｈｉｒｄ−ｐａｒｔｙ）装置の間のマルチパーティ（ｍｕｌｔｉ−ｐａｒｔｙ）な通信セッションを開始する、
ことを特徴とした通信サーバ装置。
【請求項１０】
プロセッサと、メモリと、を備えた発呼装置であって、
前記プロセッサの制御下で、前記メモリに記憶される命令を実行して、
発呼者入力を受信し、
通信リンク上で、前記発呼者入力に関連したＵＲＬ情報を、通信サーバ装置へ送信して、前記通信サーバ装置が前記ＵＲＬ情報を用いて受信装置を特定できるようにし、
通信セッションが前記通信サーバ装置により開始されたことに応じて、前記通信リンク上で、前記受信装置と通信し、
前記発呼者入力は、前記受信装置との前記通信セッションの要求としての、ＵＲＬの選択又はアクティブ化である、
発呼装置。
【請求項１１】
請求項１０において、
前記発呼者入力を、前記受信装置の受信ユーザにより定義されたＵＲＬの選択又はアクティブ化として、受信する、
ことを特徴とした発呼装置。
【請求項１２】
請求項１０又は１１において、
前記通信サーバ装置から、ウェブページ情報を受信し、
前記ウェブページ情報は、自発呼装置と前記受信装置との間の前記通信セッションを導くアプリケーション用のアプリケーションコード、を含む、
ことを特徴とした発呼装置。
【請求項１３】
請求項１２において、
前記通信サーバ装置から、自発呼装置上のウェブブラウザプログラムのバックグラウンドで動作するアプリケーション用のアプリケーションコードを、受信する、
ことを特徴とした発呼装置。
【請求項１４】
通信サーバ装置において実施される方法であって、
前記通信サーバ装置のプロセッサの制御下で、
通信リンク上で、発呼装置での発呼者入力に関連したＵＲＬ情報を受信し、
前記ＵＲＬ情報を用いて、受信装置を特定し、
前記発呼装置と前記受信装置との間の通信セッションを開始する、ことを含み、
前記発呼者入力は、前記受信装置との前記通信セッションの要求としての、ＵＲＬの選択又はアクティブ化である、
方法。
【請求項１５】
発呼装置において実施される方法であって、
前記コットン装置のプロセッサの制御下で、
発呼者入力を受信し、
通信リンク上で、前記発呼者入力に関連したＵＲＬ情報を、通信サーバ装置へ送信して、前記通信サーバ装置が前記ＵＲＬ情報を用いて受信装置を特定できるようにし、
通信セッションが前記通信サーバ装置により開始されたことに応じて、前記通信リンク上で、前記受信装置と通信する、ことを含み、
前記発呼者入力は、前記受信装置との前記通信セッションの要求としての、ＵＲＬの選択又はアクティブ化である、
方法。
【請求項１６】
処理装置の制御下で請求項１４又は１５に記載の方法を実行するためのコンピュータ可読命令を、記憶したコンピュータ可読媒体。
【発明の詳細な説明】
【技術分野】
【０００１】
本発明は、発呼装置と受信装置との間の通信セッションを開始する通信サーバ装置に関する。本発明は、通信サーバ装置を介して受信装置と通信する発呼装置にも関する。本発明は、対応する動作方法、及びその方法の１以上を実行するためのコンピュータ可読命令が記憶されたコンピュータ可読媒体にも関する。
【０００２】
本発明は、特に発呼装置から受信装置への“ワンクリック(ｏｎｅ−ｃｌｉｃｋ)”通信サービスを開始することに関連するが、これに限定されるものでは無い。少なくとも幾つかの実施において、通信セッションは、ユーザの便宜上、発呼装置のウェブブラウザを介して進行され得る。
【背景技術】
【０００３】
近年におけるインターネット接続及び帯域幅の著しい増加は、技術発展を活用しようと慌ただしいアクティビティをもたらしている。よって、多くのＶｏＩＰ(Ｖｏｉｃｅ ｏｖｅｒ Ｉｎｔｅｒｎｅｔ ｐｒｏｔｏｃｏｌ)技術が、ユーザへ音声電話及び／又は映像電話といった通信のための利便且つコスト効率の高い技術を提供すべく開発されている。
【０００４】
多くの取り組みが、ユーザがダウンロードし且つ自身のコンピュータ装置(例えば、デスクトップ型又はラップトップ型コンピュータ、ＰＤＡ、タブレット、スマートフォン等)で使用するために供される各種のソフトウェアアプリケーションの発展に結び付いている。おそらく、このようなソフトウェアアプリケーションの内で最も知られているものは、Ｓｋｙｐｅ(ＴＭ)であろう。
【０００５】
米国特許公報第７，５９３，３５５号は、ＶｏＩＰ電話の開始に際して発呼者へインタフェースを提供する技術を開示している。この技術は、発呼者により、着呼者に関する情報の要求を発行すること、要求に応じたＵＲＬを返すこと、及び発呼者に対し、ＵＲＬに対応する１以上の接続オプションを表示すること、を含む。一の接続オプションの選択により、ＳＩＰリクエストが開始されて接続を行う。
【０００６】
国際公開公報第２００６／０１０１９３号は、通信ネットワーク上でＶｏＩＰ電話を開始するコンピュータがイニシエータ(ｉｎｉｔｉａｔｏｒ)システムからスモール制御プログラムをダウンロードするシステム、を開示している。制御プログラムは、機器を各発呼者コンピュータ上での音声又は映像通信に利用すべく設定し、コンピュータ同士間での直接的なピア・ツー・ピア(ｐｅｅｒ−ｔｏ−ｐｅｅｒ)接続を可能にする。発呼者及び着呼者の各々は、呼へ参加せよとの招待(ｉｎｖｉｔａｔｉｏｎ)を受信し、この招待は、ユーザがその呼の一部を開始するために辿るＵＲＬ又はハイパーリンクを含んでいる。各ユーザは、リンクを辿ると、呼をブリッジするイニシエータシステムへつながれる。
【０００７】
米国公開特許公報第２００６／０２１００４１号は、ユーザが、発呼するためのウェブブラウザ又は他のインターネットを利用可能なソフトウェアを使用することを可能にする第三者(ｔｈｉｒｄ−ｐａｒｔｙ)呼制御アプリケーションプログラムインタフェース、を対象としている。ユーザが呼を開始し、そしてＳＩＰプロキシサーバが、“発呼側”電話機と“着呼側”電話機との間の呼をセットアップする。
【０００８】
その他、幾つかの例を挙げると、典型的な技術が、米国特許公報第７，４９３，３８１号、韓国公開特許公報第１０−２００７−００７８５４３号、韓国公開特許公報第２００２−００８８９７７号及び日本国公開特許公報第２００２−３０５５８８号に記載されている。
【発明の概要】
【０００９】
本発明は、独立請求項に定義される。本発明の幾つかのオプション的な特徴は、従属請求項に定義される。
【００１０】
ここで開示される技術の実施は、ユーザが、顕著な技術的効果を活用することを可能にし得る。このような技術的効果には、発呼ユーザが自身の発呼(例えば、コンピュータ)装置で使用するためのソフトウェアアプリケーションをダウンロードする必要が無いであろうとの事実が含まれる。よって例えば、ユーザは、わざわざ自身のコンピュータ装置へソフトウェアアプリケーションをダウンロードし且つインストールする必要が無い。さらに、幾人かのコンピュータユーザは、実行可能なソフトウェアアプリケーションをダウンロードする必要性が望ましく無いと考えている。これは例えば、コンピュータ装置のリソースに負担を強いる為であり、よって、このような懸念事項が未然に防止され得る。また、ソフトウェアアプリケーションに付加される又は潜む迷惑ソフトウェア(例えば、ポップアップ広告を開始するブラウザツールバーのようなアドオンプログラム)や、悪意のあるソフトウェア(ウィルス、トロイの木馬等)をダウンロードすることを恐れて、ダウンロード可能なソフトウェアアプリケーションが検討されるべきとの流派が依然として存在するといった問題をも取り除き得る。
【００１１】
少なくとも幾つかの実施において、ここで開示される技術は、通信セッションを発呼装置と受信装置との間でセットアップするために、例えば発呼装置でのＵＲＬ(ｕｎｉｆｏｒｍ ｒｅｓｏｕｒｃｅ ｌｏｃａｔｏｒ)の選択又はアクティブ化のみが要求される真の“ワンクリック”電話を提供し得る。ＵＲＬの選択又はアクティブ化の後、通信セッションをセットアップするのに必要な全ての手順及び通信システムトランザクションが、自動的に実行され得る。
【００１２】
ＵＲＬの選択又はアクティブ化は、多くの方法のいずれか一つにより達成することが可能である。例えば、ユーザが、ＵＲＬにより定義されるウェブリソースを示すハイパーリンクをクリック(すなわち、選択)し、以てＵＲＬを選択しても良い。勿論、ハイパーリンクは、着呼者を呼び出す招待のために、ユーザに対し任意のウェブページ、Ｅメールメッセージ、ＳＭＳ等で提示され得て、着呼者へコンタクトしたい人は誰でも、その都度、単純にＵＲＬを選択又はアクティブ化し得る。加えて又は代えて、ユーザは、単純にＵＲＬ文字を自身のコンピュータ装置上のウェブブラウザの所謂アドレスバーへ入力し、例えば、コンピュータ装置のキーボード上で“ＥＮＴＥＲ”を押下することによりＵＲＬをアクティブ化しても良い。ＵＲＬに対するインターネット検索−例えばＧｏｏｇｌｅ検索−でも十分であろう。他の例において、ユーザは、ユーザのコンピュータ装置をＵＲＬにより定義されるウェブリソースへと導くＱＲコード等のグラフィックを読み取ることによって、ＵＲＬを選択又はアクティブ化することが可能である。
【００１３】
より詳細に後述する如く、通信サーバ装置は、発呼者のコンピュータ装置での発呼者入力(ＵＲＬの選択又はアクティブ化)に関連した情報を受信し得る。よって、通信サーバ装置は、ＵＲＬに関連した情報を受信し得る。一の形態において、通信サーバ装置は、ＵＲＬ自体を受信しても良い。通信サーバ装置は、ＵＲＬ情報から、着呼者−受信装置−を特定し、発呼装置と受信装置との間の通信セッションを開始しても良い。一の形態において、ＵＲＬは、例えば対象となる受呼者の電話番号、或いはこれに関連した、通信サーバ装置が電話番号を特定若しくは検索及び／又は着呼者を特定可能にする情報を含んでも良い。通信サーバ装置は、ＵＲＬから電話番号を抽出し、及び／又は所謂データベースから(例えば、データベース中のルックアップテーブルを参照して)発呼装置を特定し、発呼装置と受信装置との間の通信セッションを開始しても良い。
【００１４】
これら技術の実施は、ＵＲＬが受呼者により定義される場合に特に有益であろう。よって、例えば、人々がここで開示される技術を用いて着呼者へ電話するために、着呼者−受信デバイスのユーザ−は、(着呼者が公表したくない)受信装置の電話番号を配布又は公表する必要が無いようにエイリアス(ａｌｉａｓ)を使用することが可能である。
【００１５】
先に引用した従来技術文献はいずれも、発呼装置にてユーザがＵＲＬを選択／アクティブ化して発呼装置と受信装置との間の通信セッションを開始し、受信装置がＵＲＬに関連した情報又はＵＲＬ自体から特定可能であるという技術を、開示も示唆もしていない。
【００１６】
よって、ここで開示される技術は、より詳細に後述される如く、ユーザが自身のコンピュータ装置上でＩｎｔｅｒｎｅｔ Ｅｘｐｌｏｒｅｒ、Ｃｈｒｏｍｅ、Ｓａｆａｒｉ又はモバイル／タブレットウェブブラウザ等の標準的なウェブブラウザを用いてインターネットを操作(ｎａｖｉｇａｔｅ)／閲覧(ｂｒｏｗｓｅ)する場合に、ユーザが、ワンクリックでプロバイダのウェブサイトから発呼装置へ、音声／映像電話をかける(又は、会議電話をかける、ＳＭＳ、ボイスメール、ＦＡＸ、Ｅメール等を送信する)ことを可能にし得る。ここで、発呼装置には、電話機(及び携帯電話機)、並びにスマートフォン、ＰＤＡ、タブレット等の他のコンピュータ装置が含まれる。発呼先の電子アドレス(電話番号、ＩＰアドレス、若しくはＥメール、ＩＭ、オンラインアカウント等の他のアドレス)又はこれに相当するコードは、ＵＲＬ中に配置しても、或いはＵＲＬから導出可能であっても良く、電話機若しくはコンピュータへ電話をかけるといったデータ通信用セッションの確立をワンクリックにする。これには、発呼者に対し同様の機能を、発呼者がクリックして電話をかけ得る、他のウェブサイト上(又は、Ｅメール中、ソーシャルネットワーキングサイト、ＳＭＳ、ＩＭ Ｃｈａｔ等)でのプロバイダのウェブサイトへのＵＲＬリンクを介して提供することも含まれる。発呼者は、何らソフトウェアをダウンロードする必要も、ソフトウェア／システム設定を実行する必要も無いであろう。呼は、発呼者が閲覧しているプロバイダのページを介して、発呼者のコンピュータとＵＲＬ中の着呼者の電話番号(又はこれに相当するコード)との間で確立され得る。また、リンク／ＵＲＬが呼(音声／映像)を確立するために用いられるため、電話の履歴を、ウェブブラウザの履歴フォルダに含まれる情報から容易に管理することが可能である。
【００１７】
さらに、ウェブブラウザへＵＲＬを入力又はＵＲＬへのリンクをクリックすることにより電話をかける“ワンクリック”方法は、発呼者ＩＤ、電話録音、プライベート番号電話、電話録音に対するオンラインアクセス、ボイスメール、コールバック等の付加的な特徴及び機能を提供するために用いることが可能である。呼に対するＵＲＬ又は同等にこれへのリンクは、(ｉ)発呼者、(ｉｉ)着呼者(電話の受信者)、又は(ｉｉｉ)第三者のいずれかが独立或いは連携していることを保証可能である。以下で理解されるだろうが、これは、着呼者が自身でＵＲＬを定義する場合に特に有益であり得る。これら技術は、発呼者／着呼者／第三者へ、呼の所望の特徴／機能のためにリンクを作成する設備を提供する。このようなリンク／ＵＲＬ／ＱＲコードは、全ての発呼者に対し同一なものであっても良いし、異なるものであっても良く、発呼者毎又は発呼者のグループ毎にカスタマイズされても良い。
【００１８】
ここで使用されるように、電話、音声電話、映像電話、音声／映像電話等の用語は、本明細書全体に亘って互換性があるように用いられている。また、(ＵＲＬ及び／又はリンクと共に)ＱＲコードは、適切にスキャンされると、呼を確立するために用いられる。
【００１９】
多くのＶｏＩＰサービスが存在し、これらＶｏＩＰサービスでは、発呼者が、ソフトウェアアプリケーションをダウンロードし、自身のコンピュータ上でシステム／ソフトウェア設定を請け負わなければならない。
【００２０】
ここで使用されるように、“コンピュータ”との用語又は“コンピュータ装置”との用語は、インターネットへの接続性を提供可能な装置であると考えても良い。よって、コンピュータは、ウェブサイトへのアクセス並びにＶｏＩＰ及び他の技術を用いた電話のためにウェブへアクセスするのに使用可能なものとして、ＰＣ、ラップトップ、ネットブック、携帯電話機、スマートフォン、ＩＰ電話機、ゲーム機器、セットトップボックス、ｉＰＡＤ、タブレットＰＣ、及び他の同等な装置とすることが可能である。一般に、コンピュータは、インターネットへのアクセスに必要となるデータ通信のために、ＬＡＮ、ルータ、ＷＬＡＮ、ＤＳＬ、ケーブル、３Ｇ、ＬＴＥ、ＷｉＭＡＸ、３Ｇ＋等を用いる。一般に、コンピュータは、そのインスタンスがＩｎｔｅｒｎｅｔ Ｅｘｐｌｏｒｅｒ、ＦｉｒｅＦｏｘ等を含むインターネットブラウザを介して、ウェブ並びにそのコンテンツ、サービス及びアプリケーションへアクセスする。
【００２１】
発呼者のコンピュータからＶｏＩＰ電話をかける既存のサービス(Ｇｏｏｇｌｅ、ＭＳＮ、Ｙａｈｏｏ等)は、発呼者に、プロバイダのウェブサイトへ訪れること、オンラインアカウントを有すること、ボックスへ電話番号を入力してｃａｌｌを押下することを要求する。これは、多くのステップを要求し、発呼者にとって面倒であろう。他のサービス(Ｓｋｙｐｅ、Ｇｏｏｇｌｅ等を含む)は、発呼者に、ソフトウェアをダウンロードし、自身のコンピュータ上でソフトウェアを設定することを要求する。
【００２２】
ここで使用されるように、“電話機”との文言は、固定(又は固定回線)電話機、セルラ／モバイル電話機、スマートフォン、ＩＰ電話機、Ｗｉ−Ｆｉ電話機等であると考えても良い。“電話機”との文言は、主として数字列から成る電子アドレス又は電話番号を介して電話をかける／受けることが可能な装置であると考えても良い。
【００２３】
或る特別な文字“＋”を、電話番号の表現に用いても良い。
【図面の簡単な説明】
【００２４】
【図１】発呼装置と受信装置との間の通信を可能にするシステムを示した概略的なブロック図である。
【図２】第１の通信技術のための一連のイベントを示した第１の発呼タイミング図である。
【図３】他の通信技術のためのアルゴリズムフローを示した第１のフロー図である。
【図４】他の通信技術のための一連のイベントを示した第２の発呼タイミング図である。
【図５】他の通信技術のための一連のイベントを示した第３の発呼タイミング図である。
【図６】他の通信技術のためのアルゴリズムフローを示した第２のフロー図である。
【図７】他の通信技術のための一連のイベントを示した第３の発呼タイミング図である。
【図８】他の通信技術のためのアルゴリズムフローを示した第３のフロー図である。
【図９】他の通信技術のためのアルゴリズムフローを示した第４のフロー図である。
【図１０】他の通信技術のためのアルゴリズムフローを示した第５のフロー図である。
【図１１】他の通信技術のためのアルゴリズムフローを示した第６のフロー図である。
【図１２】他の通信技術のためのアルゴリズムフローを示した第７のフロー図である。
【発明を実施するための形態】
【００２５】
本発明を、ほんの一例として、図面を参照して説明する。
【００２６】
まず図１を参照すると、通信システム１００が示されている。
通信システム１００は、通信サーバ装置１０２と、発呼装置１０４と、受信装置１０６ａ、１０６ｂとを備える。これらの装置は、その各々の通信リンク１１０、１１２、１１４ａ／１１４ｂを介し、通信ネットワーク１０８(例えば、インターネット)において接続される。明瞭さのために図１からは省略されているが、受信装置１０６ａ、１０６ｂは、モバイル通信セルラネットワークを含むＰＳＴＮ(ｐｕｂｌｉｃ ｓｗｉｔｃｈｅｄ ｔｅｌｅｐｈｏｎｅ ｎｅｔｗｏｒｋｓ)等の他の通信ネットワークを介して通信可能であっても良い。
【００２７】
通信サーバ装置１０２は、図１に概略的に示す如く単独のサーバであっても良いし、複数のサーバコンポーネントに亘って分散されるサーバ装置１０２により実行される機能を有していても良い。このような配置の一つが、より詳細に以下で議論される図４に示されている。図１の例では、通信サーバ装置１０２は、但しこれには限定するものでは無いが、マイクロプロセッサ１１６、実行可能な命令１２０をロードするためのメモリ１１８(例えば、ＲＡＭ等の揮発性メモリ)を含む多数の個別なコンポーネントを備え得る。実行可能な命令１２０は、サーバ装置１０２がプロセッサ１１６の制御下で実行する機能を定義する。また、通信サーバ装置１０２は、サーバが通信ネットワーク１０８上で通信することを可能にする入／出力モジュール１２２を備える。ユーザインタフェース１２４は、ユーザ制御のために設けられており、例えば、ディスプレイモニタ、コンピュータキーボード等といった慣用的なコンピュータ周辺装置を備え得る。また、サーバ装置１０２は、データベース１２６を備え得る。データベース１２６の目的は、以下の議論から容易に理解されるであろう。
【００２８】
発呼装置１０４は、但しこれに限定するものでは無いが、マイクロプロセッサ１２８、実行可能な命令１３２をロードするためのメモリ１３０(例えば、ＲＡＭ等の揮発性メモリ)を含む多数の個別なコンポーネントを備え得る。実行可能な命令１３２は、発呼装置１０４がプロセッサ１２８の制御下で実行する機能を定義する。また、発呼装置１０４は、発呼装置１０４が通信ネットワーク１０８上で通信することを可能にする入／出力モジュール１３４を備える。ユーザインタフェース１３６は、ユーザ制御のために設けられている。このユーザインタフェース１３６は、例えば、ディスプレイモニタ、コンピュータキーボード等といった慣用的なコンピュータ周辺装置の形式を採る。或いは、発呼装置１０４が所謂スマートフォン又はタブレットデバイスである場合、ユーザインタフェース１３６は、多くのスマートフォン及び他の可搬型デバイスにおいて普及している通りのタッチパネルディスプレイの形式である。
【００２９】
受信装置１０６ａ、１０６ｂは、例えば、装置１０６ａのような電話機若しくは所謂、慣用的なコンピュータ装置１０６ｂ、又は後述するボイスメールサービス等の他のサービスであり得る。
【００３０】
図２は、発呼装置１０４と受信装置１０６との間での通信セッションの開始における情報フローのための第１のタイミング・シーケンスを示している。シーケンスステップ１において、発呼装置１０４にて発呼ユーザは、上述したようなＵＲＬを選択、アクティブ化或いは入力する。図２に示すように、このＵＲＬは、ｗｗｗ.ｇｎｕｍ.ｃｏｍ/＜ＰｈｏｎｅＮｕｍｂｅｒ＞との形式を採る。ここで、ｇｎｕｍは、出願人の商標であり、ｇｎｕｍ.ｃｏｍは、出願人に対し登録されたドメインである。発呼装置１０４は、通信サーバ装置１０２へ、発呼者入力に関連したＵＲＬ情報を送信する。上述の通り、ＵＲＬ情報は、ＵＲＬ自体を含み得る。通信サーバ装置１０２は、ＵＲＬ情報を用いて、例えばＵＲＬをデコードし電話番号を得るか或いはＵＲＬ情報から電話番号を抽出して、受信装置を特定する。これは、少なくとも一つの技術において、データベース１２６を参照することにより実施される。データベース１２６は、少なくとも受信装置のレコード、及びＵＲＬ情報から受信装置を特定可能にする情報を保持するものである。
【００３１】
また、通信サーバ装置は、シーケンスステップ２で呼を開始し、シーケンスステップ３で受信装置１０６への呼を開始するのに先立って、広告メッセージを含むメッセージの再生といった実行すべき他のＴＦＦ(ｔａｓｋｓ, ｆｅａｔｕｒｅｓ ａｎｄ ｆｕｎｃｔｉｏｎｓ)も決定する(加えて或いは代えて、メッセージの再生は呼の間及び／又後に実行しても良い。但し、呼の間に再生されるのみであれば、グラフィカルなメッセージが望ましいであろう)。受信装置のユーザが電話に出ると、双方向の通信、例えば双方向の会話がシーケンスステップ４で行われるであろう。
【００３２】
よって、当然のことながら、図１及び図２は、プロセッサ１１６と、メモリ１１８とを備え、プロセッサ１１６の制御下でメモリ１１８に記憶される命令１２０を実行して、通信リンク１０８、１１０、１１２上で、発呼装置１０４での発呼者入力に関連したＵＲＬ情報を受信し、ＵＲＬ情報を用いて、受信装置１０６ａ、１０６ｂを特定し、発呼装置１０４と受信装置１０６との間の通信セッションを開始し、発呼者入力が、受信装置１０６ａ、１０６ｂとの通信セッションの要求としての、ＵＲＬの選択又はアクティブ化である、通信サーバ装置１０２を示している。
【００３３】
或いは、当然のことながら、通信サーバ装置１０２において実施される方法であって、通信サーバ装置のプロセッサ１１６の制御下で、通信リンク１０８、１１０、１０２上で、発呼装置１０４での発呼者入力に関連したＵＲＬ情報を受信し、ＵＲＬ情報を用いて、受信装置１０６を特定し、発呼装置１０４と受信装置１０６との間の通信セッションを開始する、ことを含み、発呼者入力が、受信装置１０６との通信セッションの要求としての、ＵＲＬの選択又はアクティブ化である、方法を示している。
【００３４】
また、当然のことながら、図１及び図２は、プロセッサ１２８とメモリ１３０とを備え、プロセッサ１２８の制御下でメモリ１３０に記憶される命令１３２を実行して、発呼者入力を受信し、通信リンク１０８、１１０、１１２上で、発呼者入力に関連したＵＲＬ情報を通信サーバ装置１０２へ送信して、通信サーバ装置１０２がＵＲＬ情報を用いて受信装置１０６を特定できるようにし、通信セッションが通信サーバ装置１０２により開始されたことに応じて、通信リンク上で受信装置と通信し、発呼者入力が、受信装置１０６との通信セッションの要求としての、ＵＲＬの選択又はアクティブ化である、発呼装置１０４を示している。
【００３５】
或いは、当然のことながら、発呼装置１０４において実施される方法であって、発呼装置１０４のプロセッサの制御下で、発呼者入力を受信し、通信リンク上で、発呼者入力に関連したＵＲＬ情報を通信サーバ装置へ送信して、通信サーバ装置がＵＲＬ情報を用いて受信装置を特定できるようにし、通信セッションが通信サーバ装置により開始されたことに応じて、通信リンク上で前記受信装置と通信する、ことを含み、発呼者入力が、受信装置との通信セッションの要求としての、ＵＲＬの選択又はアクティブ化である、方法を示している。
【００３６】
よって、ここで開示される技術は、ウェブサイトを使用して、例えば電話機への電話をかけることを可能にしている。この例では、ウェブサイトｗｗｗ.ｇｎｕｍ.ｃｏｍが、呼のためのウェブサイトとして使用される。なお、一意なウェブサイトを、サービスを利用して着呼し得るありとあらゆる発呼装置のためにウェブサーバｇｎｕｍ.ｃｏｍにて維持する必要は無い。必要なのは、発呼者がｇｎｕｍ.ｃｏｍウェブサイトの対象とされ、そして通信サーバ装置１０２がＵＲＬから受信装置をこれに対し電話をかけるのに十分に抽出或いは特定することだけである。
【００３７】
電話番号(＋６５９６６１ｘｘｘｘ)へ電話(音声又は映像)をかけたい者は誰でも、下記のＵＲＬを自身のコンピュータのウェブブラウザ(一般性を損なうこと無くＩｎｔｅｒｎｅｔ Ｅｘｐｌｏｒｅｒを用いる)へ入力することができる。
【００３８】
ｗｗｗ.ｇｎｕｍ.ｃｏｍ／＋６５９６６１ｘｘｘｘ
【００３９】
或いは、発呼者は、他の何らかのウェブサイト上でリンクｗｗｗ.ｇｎｕｍ.ｃｏｍ／＋６５９６６１ｘｘｘｘをクリックして、ウェブサイトｗｗｗ.ｇｎｕｍ.ｃｏｍへ到達し、以て＋６５９６６１ｘｘｘｘへ電話をかけることができる。このリンクは、Ｅメール、ソーシャルネットワーキング・ポスティング(ｓｏｃｉａｌ ｎｅｔｗｏｒｋｉｎｇ ｐｏｓｔｉｎｇｓ)、ブログ及びＩＭチャットログ、或いは活字メディア、ビルボード(ｂｉｌｌ−ｂｏａｒｄｓ)、新聞紙等といった他の場所中に設けても良い。同等に、ＱＲコードを、同様の目的で活用しても良い。
【００４０】
また、このＵＲＬを、ツールバー又はＧｏｏｇｌｅ(若しくは、他の何らかの検索エンジン)の検索ボックスへ入力することもできる。
【００４１】
ウェブサイトｗｗｗ.ｇｎｕｍ.ｃｏｍ用のサーバ１０２(ｇＮｕｍシステムとも呼称され得る)は、ＵＲＬを処理し、ユーザ／発呼者が電話番号＋６５９６６１ｘｘｘｘへ電話(音声又は映像)をかけたい(大略、或る種のデータ／情報を交換するために通信用のセッションを確立したい)と望んでいることを認識する。ｇＮｕｍシステムは、発呼者が支払、ユーザプロファイリング、広告等を含む種々の目的でクリックした参照ウェブサイトも追跡する。また、ｇＮｕｍシステムは、発呼者コンピュータのＩＰアドレスを判定及び使用して、発呼者がクリックしたリンクをどのように処理する必要があるか決定しても良い。ここで、ｇＮｕｍシステムは、電話をかけるのに先立って“チェック”を実行する。このようなチェックの包括的では無いリストは、下記１〜５の通りである。
【００４２】
１．＋６５９６６１ｘｘｘｘは有効な電話番号であるか？ ユーザに正しい電話番号の入力を促さない場合、電話番号は携帯電話番号又は固定電話番号であるか？
【００４３】
２．この電話は、かけられるか及びどのようにかけられるか？ これには、誰が電話料金を支払うか、並びに価格情報、(ＵＲＬ、及び発呼者／着呼者の地理的地域等の他の関連情報に基づき得る)広告／情報が、呼の前／間／後に、ウェブサイトｗｗｗ.ｇｎｕｍ.ｃｏｍ上で発呼者のために又は電話番号に関する着呼者のために再生されるか否かといったことが含まれる。この電話は、映像電話又は単なる音声電話であり得るか？
【００４４】
３．この電話に関する情報をどのように管理すべきか？ 誰がこの情報に対するアクセス権を有し、どのようにアクセスし得るか。
【００４５】
４．呼の後に何が発生すべきか？ 例えば、請求及び他の課金サービスを実行しても良い。ウェブサイトｗｗｗ.ｇｎｕｍ.ｃｏｍ上の発呼者又は着呼者が、将来のサービスのためにウェブサイトｗｗｗ.ｇｎｕｍ.ｃｏｍとのアカウントを契約すべきか？
【００４６】
５．着呼者は、その電話番号を介して特定可能なｗｗｗ.ｇｎｕｍ.ｃｏｍとのオンラインアカウントを既に有しているか？ もしあれば、この電話に関するどのような情報が、着呼者にそのオンラインアカウントを介して提供されるか？
【００４７】
チェックが完了すると、ｇＮｕｍシステムは、発呼者リクエストを処理すべき正確な方法を決定しており、呼(音声又は映像)が、ウェブサイトｗｗｗ.ｇｎｕｍ.ｃｏｍを閲覧する発呼者コンピュータと電話番号＋６５９６６１ｘｘｘｘの着呼者との間のＶｏＩＰ電話を介して、ウェブサイトｗｗｗ.ｇｎｕｍ.ｃｏｍを閲覧する発呼者コンピュータと電話番号＋６５９６６１ｘｘｘｘの着呼者との間で確立される。通信リンク１１４ａ、１１４ｂ上の呼の第２行程は、所謂ＰＳＴＮネットワークを介して遂行され得る。受信装置が十分に利用可能であるならば、呼の第２行程は、ＶｏＩＰ技術を同様に利用して遂行される。呼が完了した後、ｇＮｕｍシステムは、ｗｗｗ.ｇｎｕｍ.ｃｏｍにて、自身で決定した呼に関する残りのタスクを実行する。発呼者に、新たなアカウントを契約するか、或いは既存アカウントに関する情報を提供するよう求めても良い。同様に、着呼者が未だアカウントを有していないと特定した場合には、着呼者を、後続のＳＭＳ及び／又は電話を介してユーザＩＤ及びパスワードを提供することにより、新たなアカウントを開設するよう招待しても良い。発呼者が自身のアカウントへサインインする場合はいつでも、呼情報が発呼者のオンラインアカウント中に設置され得る。同様に、呼情報を着呼者のアカウント中に設定しても良い。
【００４８】
図３に、ウェブサイトから電話機へ電話をかける上記方法のためのフローチャートを示す。
【００４９】
或いは、＋６５９６６１ｘｘｘｘ(６５はシンガポールの国コード、９６６１ｘｘｘｘは電話番号)へ電話をかけるためのＵＲＬは、以下のようにすることができる。
【００５０】
ｗｗｗ.ｇｎｕｍ.ｃｏｍ/６５９６６１ｘｘｘｘ
【００５１】
ｇＮｕｍシステムは、入力された番号が国コード６５を介してシンガポールに且つ電話番号９６６１ｘｘｘｘに対応することを知的に解読することができる。発呼者へ、ｇＮｕｍシステムが電話番号へ電話することを実際に検証させても良い。
【００５２】
図４に、通信サーバ装置１０２のための代替のハードウェア・セットアップ、及び代替のシグナル・シーケンスフローを示す。この例では、通信サーバ装置１０２が、サーバ機能を下位分割するために離散したサーバ装置から成る。よって、通信サーバ装置１０２は、ウェブサーバ３０２と、データベースサーバ３０４と、アプリケーションサーバ３０６と、メディアゲートウェイ３０８から成る。この例では、離散したサーバ装置各々が、自身のプロセッサ(図示せず)の制御下で動作して、装置を各サーバ装置のメモリへロードされ得る命令により定義される必要機能を実行するよう制御する。
【００５３】
図４の例において、ユーザは、上述したものと同様の方法でＵＲＬを選択又はアクティブ化する。そして、発呼装置１０４は、シーケンスステップ１で、ＵＲＬ情報をウェブサーバ３０２へ送信する。そして、ウェブサーバ３０２は、ＵＲＬ情報を受信し、シーケンスステップ２で、データベースサーバ３０４へ、データベースサーバ３０４がリンクを検証するための要求を送信する。リンクが検証された場合、ウェブサーバ３０２は、シーケンスステップ３で、ウェブページ(“ｇｎｕｍページ”)を発呼装置１０４へ送信する。ｇｎｕｍページ／ウェブページは、その内部に組み込まれた、発呼装置１０６との通信セッションを手助けする通信アプリケーションを有している。ページが発呼装置１０４の所謂ウェブブラウザで表示されると、音声及び／又は映像通信が発呼装置１０４から可能となり得る。よって、当然のことながら、通信サーバ装置１０２は、ＵＲＬ情報の受信に応じて、ウェブページ情報を発呼装置１０４へ送信するよう構成されており、ウェブページ情報は、発呼装置１０４と受信装置１０６との間の前記通信セッションを導く（ｃｈａｎｎｅｌｌｉｎｇ）アプリケーション用のアプリケーションコードを含んでいる。
【００５４】
通信アプリケーションは、ブラウザ中、おそらくバックグラウンドで動作する。すなわち、通信サーバ装置１０２は、発呼装置１０４上のウェブブラウザプログラムのバックグラウンドで動作するアプリケーション用のアプリケーションコードを、発呼装置１０４へ送信するよう構成されている。
【００５５】
発呼装置１０４上で動作するアプリケーションを用いて、発呼装置１０４は、シーケンスステップ４で、受信装置を呼び出せとの要求をアプリケーションサーバ３０６へ送信する。すなわち、通信サーバ装置１０２は、発呼装置１０４にｉｎｉｔｉａｔｅ ｃａｌｌ ｒｅｑｕｅｓｔを通信サーバ装置１０２(この例では、アプリケーションサーバ３０６)へ送信させるためのアプリケーションコードを、発呼装置１０４へ送信するよう構成されており、ｉｎｉｔｉａｔｅ ｃａｌｌ ｒｅｑｕｅｓｔは、受信装置１０６への呼を開始せよとの要求である。
【００５６】
図４の例において、アプリケーションサーバ３０６は、シーケンスステップ５で、データベースサーバ３０４への要求を引き起こして、ＵＲＬから発呼装置１０６を特定する。シーケンスステップ６で、電話番号等の呼識別子が、アプリケーション３０６へ返却される。シーケンスステップ７で、アプリケーションサーバ３０６は、メディアゲートウェイ３０８を介して、受信装置１０６へ電話をかける。よって、通信サーバ装置１０２は、ｉｎｉｔｉａｔｅ ｃａｌｌ ｒｅｑｕｅｓｔを受信したことに応じ、ＵＲＬ情報を用いて受信装置用の呼識別子を検索し、呼識別子を用いて受信装置への呼を開始するよう構成されている。
【００５７】
シーケンスステップ８で、受信装置１０６の受信ユーザが電話に出て、シーケンスステップ９で、通信が、発呼装置１０４と受信装置１０６との間に確立される。
【００５８】
上述した通り、ここで開示される技術の実施は、発呼装置の発呼ユーザによるＵＲＬの選択又はアクティブ化による真の“ワンクリック”電話を手助けし得て、ＵＲＬを、発呼ユーザが通信したいと望む受信ユーザに関連付けられた受信装置を特定するために利用できる。ＵＲＬの選択又はアクティブ化の後、通信セッションを開始するために必要な全てのステップが自動的にアクティブ化され得る。
【００５９】
代替の配置において、電話をかけるためのリンクのＵＲＬは、以下のようなフォーマットである。
【００６０】
ｗｗｗ.ｇｎｕｍ.ｃｏｍ／＜ｇｎｕｍ_ｌｉｎｋ＞
【００６１】
ここで、＜ｇｎｕｍ_ｌｉｎｋ＞は、下記のフォーマットを有している。
【００６２】
ｓｔｒｉｎｇ１／ｓｔｒｉｎｇ２／・・・／ｓｔｒｉｎｇｎ
【００６３】
“ｎ”個の文字列、ｓｔｒｉｎｇ１、ｓｔｒｉｎｇ２、・・・、ｓｔｒｉｎｇｎの各々は、英数字の文字である。発呼者がリンクｗｗｗ.ｇｎｕｍ.ｃｏｍ／＜ｇｎｕｍ_ｌｉｎｋ＞をクリックすると(又は、同等に自身のコンピュータのウェブブラウザへＵＲＬを入力すると)、発呼者コンピュータは、自コンピュータのウェブブラウザを介してウェブサイトｗｗｗ.ｇｎｕｍ.ｃｏｍへ訪れて、＜ｇｎｕｍ_ｌｉｎｋ＞を介してｇＮｕｍシステムが決定したサービス定義、発呼者に関する他の関連情報(発呼者コンピュータのＩＰアドレス、クリックされたリンクが位置していたウェブサイト)等を有する電話(映像／音声)をかける。＜ｇｎｕｍ_ｌｉｎｋ＞は、発呼者、着呼者及びｇＮｕｍシステム全体を保護するための暗号化された形式である場合、ｇＮｕｍシステムにより復号化する必要があり得る。また、ｇＮｕｍシステムは、(もし)発呼者がリンクをクリックした場合には、発呼者がいたウェブサイトを判定し、発呼者がＵＲＬを自身のコンピュータのウェブブラウザへ入力するか或いはリンクをクリックすることによりウェブサイトｗｗｗ.ｇｎｕｍ.ｃｏｍへ訪れた場合には、発呼者コンピュータのＩＰアドレスを判定しても良い。サービス定義は、下記の包括的では無いタスクリストの１以上の形式を含んでも良い。
【００６４】
・呼のための有効なリンク？
・発呼者は、どのように呼のためにｇＮｕｍシステムと通信し得る？ 発呼者がオンラインな場合、着呼者電話番号から発呼者コンピュータ及び／又は電話機への、並びにその逆方向の通信のための完全なルーティング情報が、ｇＮｕｍシステムにより決定される。
・着呼者電話番号
・発呼者電話番号
・ｇＮｕｍシステムの電話番号から呼び出すべき着呼者電話番号
・ｗｗｗ.ｇｎｕｍ.ｃｏｍとの着呼者アカウント
・ｗｗｗ.ｇｎｕｍ.ｃｏｍとの発呼者アカウント
・電話が録音されるべきか否か、電話の他の特徴は？
・電話をかける場合の時間及び／又は他の制限。発呼者ＩＰ、発呼者ｇＮｕｍアカウント、発呼者がリンクをクリックしたウェブサイト、発呼者の位置等を含む制限のインスタンス。
・ｇＮｕｍシステムにより、発呼者コンピュータがｗｗｗ.ｇｎｕｍ.ｃｏｍへ訪れた際のＩＰアドレスに基づき決定された、呼の機能／タスク／特徴
・価格／コスト情報
・呼の前、間、後に行われるべき事項、例えば、発呼者及び／又は着呼者へ表示及び／又は再生されるべき広告や他のメッセージ等。
・請求及び課金情報
・この電話により生成される情報(呼ログ)の管理方法
・電話に関連付けられた他の特徴
【００６５】
これら“タスク”の幾つかが“必須のタスク”である一方、他のタスクはオプションであっても良い。例えば、幾つかの実施において、発呼者の電子アドレス(ＩＰアドレス、オンラインアドレス及びオンラインルーティング情報)は、発呼者がこの電話のために自身のコンピュータを用いてオンラインであるならば“必須”である。同様に、着呼者の電話番号も、幾つかの実施において“必須”である。或いは、発呼者は、適切な文字列を有するリンクをクリックして、ｇＮｕｍシステムに発呼者の電話機と着呼者の電話機との間の呼を手配して欲しい旨を示しても良い。この場合、ｇＮｕｍシステムは、＜ｇｎｕｍ＿ｌｉｎｋ＞から、発呼者の電話番号及び着呼者の電話番号を判定しても良い。
【００６６】
ｇＮｕｍシステムは、データベースを用いて、＜ｇｎｕｍ＿ｌｉｎｋ＞を処理し、発呼者及び着呼者の電子アドレスを判定しても良い。着呼者の電子アドレスの文字列の一つは、着呼者の電子アドレスとして単純に“ｃｏｃａｃｏｌａ”と言い得る。この場合、ｇＮｕｍシステムは、データベースを用いて、符号系列“ｃｏｃａｃｏｌａ”に関連付けられた電話番号を決定する。これら符号系列は、発呼者又は着呼者により指定されても良い。また、これら符号系列は、着呼者の電話番号がｇＮｕｍシステムのみに知られ且つ発呼者には知られない方式で、ランダムに生成し且つ様々な着呼者へ割り当てても良い。
【００６７】
＜ｇｎｕｍ＿ｌｉｎｋ＞を、呼についての完全な情報を伝搬するよう指定しても良いため、ｇＮｕｍシステムは、着呼者及び／若しくは発呼者のオンラインアカウント並びに／又は第三者からの情報を必要とせずに＜ｇｎｕｍ＿ｌｉｎｋ＞を処理しても良い。また、着呼者、発呼者、又は第三者のいずれかがｗｗｗ.ｇｎｕｍ.ｃｏｍとのオンラインアカウント(若しくは同等に、ｗｗｗ.ｇｎｕｍ.ｃｏｍへアクセス可能な他の何らかのアカウント)を有さなくても良い。但し、ｇＮｕｍシステムは、発呼者／着呼者／第三者がこのようなオンラインアカウントを有している場合に、発呼者／着呼者／第三者へ付加価値のあるサービスをさらに提供可能であっても良い。
【００６８】
また、ｇＮｕｍシステムは、発呼者及び／又は着呼者及び／又は第三者がｗｗｗ.ｇｎｕｍ.ｃｏｍとの自身のアカウント(或いは同等に、ｗｗｗ.ｇｎｕｍ.ｃｏｍへアクセス可能な他の何らかのアカウント)への部分的／完全的なアクセスを実行されるべき幾つかのタスクのために許可するよう要求しても良い。また、発呼者／着呼者／第三者アカウントアクセス情報は、＜ｇｎｕｍ＿ｌｉｎｋ＞中の１以上の文字列に含まれていても良く、以て発呼者がリンクをクリックすると、これらのアカウントが＜ｇｎｕｍ＿ｌｉｎｋ＞中の文字列を処理するためのｇＮｕｍシステムへアクセス可能である。例えば、発呼者は、ｇＮｕｍシステムが発呼者のオンラインアカウントへアクセスして＜ｇｎｕｍ＿ｌｉｎｋ＞中の文字列から着呼者の電話番号を判定するよう要求するリンクを、クリックしても良い。
【００６９】
同様に、着呼者アカウントは、実行されるべき幾つかのタスクのためにアクセスされる必要があっても良く、この情報を、＜ｇｎｕｍ＿ｌｉｎｋ＞中に設置しても良い。着呼者は、多くの方法でリンクをカスタマイズしても良い。着呼者又は代わりの誰かが、着呼者の発呼者毎(友人又は友人のグループ毎)に、＜ｇｎｕｍ＿ｌｉｎｋ＞リンクをカスタマイズしても良い。よって、異なる友人(又は異なる友人グループ)は、ｇＮｕｍシステムが着呼者又は代わりの他の何らかのエンティティにより友人(又は友人グループ)毎に登録された所定のｇＮｕｍシステム電話番号から着呼者電話番号を呼び出すようカスタマイズされた、異なる＜ｇｎｕｍ＿ｌｉｎｋ＞を有するリンクをクリックするであろう。そして、このｇＮｕｍシステム電話番号は、着呼者が、友人又は友人グループの身元を着呼者の電話機がｇＮｕｍシステムにより呼び出されたものとして判定するために用いることができる。また、呼び出される着呼者電話番号は、友人又は友人グループ毎に異なるようにすることもできる。
【００７０】
上述した全てのＴＦＦ(ｔａｓｋｓ／ｆｕｎｃｔｉｏｎｓ／ｆｅａｔｕｒｅｓ)を、発呼者及び／又は着呼者のオンラインアカウントがｇＮｕｍシステムによりリンクを処理するためにアクセスされる必要がある又はアクセスされる必要が無いように、＜ｇｎｕｍ＿ｌｉｎｋ＞へ組み込むことが可能である。発呼者及び着呼者は、このようなアカウントすら有さなくても良い。他の例において、ｇＮｕｍシステムは、発呼者によりクリックされたリンクを処理して、自システムが当該リンクに対しかける必要のある電話のために発呼者を特定する必要があると判定しても良い(例えば、不正検出及び防止の為)。このような例においては、発呼者を、そのオンラインアカウントを介して特定しても良いし、発呼者に、予め割り当てられたＰＩＮの入力又は他の何らかの手段を促しても良い。発呼者が、ｇＮｕｍシステムがこのような電話をかけるためにリンクを処理するよりも前にサインインしない場合、ｇＮｕｍシステムは、発呼者へそのオンラインアカウントへサインインするよう要求しても良い。このことは、請求、並びにプライバシー及び迷惑な電話及び発呼者の防止のために極めて重要であろう。
【００７１】
重要な態様は、呼のための全ての情報がリンクに含まれ得ること、並びに略全ての例において、発呼者が電話をかけるためにリンクをクリックする、リンクをウェブブラウザのＵＲＬへ入力する若しくはＱＲコードをスキャンする以外は何もする必要が無いことである。ｇＮｕｍシステムは、呼に関連した情報を判定し、電話をかけ、呼の前／間／後に呼に関連付けられた他のあらゆるタスク／機能を実行する。このようなタスクの例としては、広告の再生、発呼者及び着呼者に対するアカウント及び請求情報のチェック、並びに発呼者及び着呼者のいずれかがアカウントを有していない場合における、アカウントの作成、オンライン表示を介した発呼者に対するアカウントの通知及び電話／ＳＭＳを介した着呼者に対するアカウントの通知等が挙げられる。電話録音、通話ログ等の他のタスクも提供される。また、請求及び課金情報を、＜ｇｎｕｍ＿ｌｉｎｋ＞中で提供しても良い。
【００７２】
ウェブリンクｗｗｗ.ｇｎｕｍ.ｃｏｍ／＜ｇｎｕｍ＿ｌｉｎｋ＞は、以下のエンティティのいずれかによって作成できる。
【００７３】
・発呼者、又は
・着呼者、又は
・発呼者及び着呼者以外の第三者、又は
・互いに連携する発呼者、着呼者及び第三者の一つ若しくは１以上
【００７４】
リンクは、ｇＮｕｍシステムがリンクを処理してリンクの作成者が誰であるかを確立できるように作成しても良い。また、ｇＮｕｍシステムは、リンクを作成するエンティティがリンクのクリックに際してｇＮｕｍシステムによりかけられる電話に対し有したいと望む機能／タスクに応じて、リンク作成の手段を提供して支援しても良い。これらのリンクは、ソーシャルネットワーキングウェブサイト、Ｅメール、ブログ等に設置できる。＜ｇｎｕｍ＿ｌｉｎｋ＞を作成するエンティティが誰であるか次第で、エンティティは、リンクが作成された際にエンティティ及びｇＮｕｍシステムにとって利用可能な情報に応じた制限された機能／タスクのみを提供できるであろう。
【００７５】
ＵＲＬが着呼者、受信装置１０６のユーザにより定義されることは、特に有益であり得る。よって、このようなシナリオにおいて、＜ｇｎｕｍ＿ｌｉｎｋ＞の例は下記１の通りである。
【００７６】
１．ｗｗｗ.ｇｎｕｍ.ｃｏｍ／ａｂｃｄｅｆｇｈ、又は＜ｇｎｕｍ＿ｌｉｎｋ＞＝ａｂｃｄｅｆｇｈ
【００７７】
ｇＮｕｍシステムにとって、これは、呼を、発呼者がｗｗｗ.ｇｎｕｍ.ｃｏｍへ到達すべくリンクをクリックするのに用いた発呼者のコンピュータと、＜ｇｎｕｍ＿ｌｉｎｋ＞中の文字列“ａｂｃｄｅｆｇｈ”により特定される着呼者の電話番号との間に確立すべきことを意味し得る。ｇＮｕｍシステムは、データベース検索を行って、＜ｇｎｕｍ＿ｌｉｎｋ＞＝ａｂｃｄｅｆｇｈに対応する着呼者の電話番号を決定する。ｇＮｕｍシステムは、発呼者のコンピュータと着呼者の電話番号との間で電話をかける。また、ｇＮｕｍシステムは、発呼者の電話番号を判定可能な場合、着呼者の電話機の発呼者ＩＤディスプレイが発呼者の電話番号を表示するように、着呼者を呼び出しても良い。
【００７８】
よって、当然のことながら、図１の通信サーバ装置１０２は、発呼者入力に関連したＵＲＬ情報を受信するよう構成されており、発呼者入力は、受信装置の受信ユーザにより定義されたＵＲＬの選択又はアクティブ化である。
【００７９】
他の幾つかの＜ｇｎｕｍ＿ｌｉｎｋ＞の例は、下記２〜７の通りである。
【００８０】
２．ｗｗｗ.ｇｎｕｍ.ｃｏｍ／＋６５９６６１３４４６／＋９１９９９００４４０５５、又は＜ｇｎｕｍ＿ｌｉｎｋ＞＝＋６５９６６１３４４６／＋９１９９９００４４０５５
【００８１】
ｇＮｕｍシステムにとって、これは、呼を、電話番号＋６５９６６１３４４６と電話番号＋９１９９９００４４０５５との間に確立すべきことを意味し得る。ここで、＋６５９６６１３４４６は着呼者の電話番号であり、＋９１９９９００４４０５５は他の電話番号(好ましくは、発呼者の電話番号)である。また、ｇＮｕｍシステムは、＋９１９９９００４４０５５が真に有効な電話番号であるかを、この電話番号を先ず呼び出すことにより検証しても良い。コードが発呼者へ提供され、ｇＮｕｍシステムが、発呼者に当該コードをｇＮｕｍシステムボックスへオンライン入力するよう促しても良い。或いは、発呼者へ、自身のオンラインアカウントへサインインするよう促すか、又は発呼者(例えばＰＩＮ)を特定し且つこの電話番号の正当性を立証する他の何らかの情報を提供するよう促すようにしても良い。電話番号が検証されると、ｇＮｕｍシステムは、２つの電話番号を呼び出し、２つの呼をブリッジする。他の例において、ｇＮｕｍシステムは、単純に呼を２つの電話番号へ進めて、これらの電話番号同士間に電話呼を確立する。このような場合、リンクは、発呼者／着呼者を特定する更なる情報、及び２つの電話番号に対する電話を特定のｇＮｕｍ電話番号からかけるべき旨を含んでも良い。
【００８２】
３．ｗｗｗ.ｇｎｕｍ.ｃｏｍ／ａｂｃｄｅｆｇｈ／ｚｚｚ／ｕｓａ／ｅｓｔｉｍｅ＿１１００−１３００、又は＜ｇｎｕｍ＿ｌｉｎｋ＞＝ａｂｃｄｅｆｇｈ／ｚｚｚ／ｕｓａ／ｅｓｔｉｍｅ＿１１００−１３００
【００８３】
ｇＮｕｍシステムにとって、これは、米国(ＵＳＡ)における東部標準時間が１１：００時から１３：００時の間である場合に、呼を、文字列“ａｂｃｄｅｆｇｈ”により特定される着呼者の電話番号と、文字列“ｚｚｚ”により特定される発呼者の電話番号との間に確立すべきことを意味し得る。
【００８４】
４．ｗｗｗ.ｇｎｕｍ.ｃｏｍ／ａｂｃｄｅｆｇｈ／ｚｚｚ／＋ｗｗｗ、又は＜ｇｎｕｍ＿ｌｉｎｋ＞＝ａｂｃｄｅｆｇｈ／ｚｚｚ／／＋ｗｗｗ
【００８５】
ｇＮｕｍシステムにとって、これは、呼を、文字列“ａｂｃｄｅｆｇｈ”により特定される発呼者と文字列“ｚｚｚ”により特定される着呼者との間に確立すべきこと、並びに着呼者を、文字列＋ｗｗｗにより特定される電話番号から呼び出すべきことを意味し得る。
【００８６】
５．ｗｗｗ.ｇｎｕｍ.ｃｏｍ／ｃｏｄｅ＿ｘ／ａｂｃｄｅｆｇｈ／ｚｚｚ／＋ｗｗｗ／＋ｘｘｘ／５ｍｉｎ、又は＜ｇｎｕｍ＿ｌｉｎｋ＞＝ｃｏｄｅ＿ｘ／ａｂｃｄｅｆｇｈ／ｚｚｚ／＋ｗｗｗ／＋ｘｘｘ／５ｍｉｎ
【００８７】
ｇＮｕｍシステムにとって、これは、発呼者が、５分以内に、文字列ａｂｃｄｅｆｇｈにより特定される電話番号を用いて、文字列ｚｚｚにより特定されるｇＮｕｍシステム電話番号を呼び出すこと、並びに当該呼出しが発生した際に、ｇＮｕｍシステムが、文字列＋ｘｘｘにより特定されるｇＮｕｍシステム電話番号から文字列＋ｗｗｗにより特定される電話番号の着呼者を呼び出し、着呼者及び発呼者に対する２つの呼をブリッジして互いに通信させるべきことを意味し得る。
【００８８】
６．ｗｗｗ.ｇｎｕｍ.ｃｏｍ／ｃｏｄｅ＿ｙ／ａｂｃｄｅｆｇｈ／ｚｚｚ／ｕｓａ、又は＜ｇｎｕｍ＿ｌｉｎｋ＞＝ｃｏｄｅ＿ｙ／ａｂｃｄｅｆｇｈ／ｚｚｚ／ｕｓａ
【００８９】
ｇＮｕｍシステムにとって、これは、着呼者を文字列ａｂｃｄｅｆｇｈにより特定される電話番号で呼び出すべきこと、発呼者がオンラインであること、並びにｇＮｕｍシステムが文字列ｚｚｚにより特定されるｇＮｕｍシステム電話番号から着呼者を呼び出すべきことを意味し得る。発呼者のコンピュータがリンクをクリックしてｗｗｗ.ｇｎｕｍ.ｃｏｍへ到達した際、ｇＮｕｍシステムは、発呼者が自システムで判定したＩＰアドレス情報の通りに米国(ＵＳＡ)に存在すると特定した場合にのみ、この電話をかけるべきである。
【００９０】
７．ｗｗｗ.ｇｎｕｍ.ｃｏｍ／ｃｏｄｅ＿ｚ／ａｂｃｄｅｆｇｈ／ｚｚｚ、又は＜ｇｎｕｍ＿ｌｉｎｋ＞＝ｃｏｄｅ＿ｚ／ａｂｃｄｅｆｇｈ／ｚｚｚ
【００９１】
ｇＮｕｍシステムにとって、これは、着呼者を文字列ａｂｃｄｅｆｇｈにより特定される電話番号でｆｉｎｄ−ｍｅ−ｆｏｌｌｏｗ−ｍｅ方式で呼び出すべきこと、発呼者がオンラインであること、並びにｇＮｕｍシステムが文字列ｚｚｚにより特定されるｇＮｕｍシステム電話番号から着呼者を呼び出すべきことを意味し得る。着呼者が対応ｇＮｕｍシステム電話番号により呼び出された電話番号の一つに設置された電話へ応答するか、或いは全ての電話番号を使い果たす迄、ｇＮｕｍシステムは、これらの電話をかけるべきである。更なる機能として、ｇＮｕｍシステムは、電話がかけられなかった場合に発呼者から伝言(音声／映像)を受け取っても良い。
【００９２】
また、当業者にとって明らかな通り、他のＴＦＦ(ｔａｓｋｓ／ｆｅａｔｕｒｅ／ｆｕｎｃｔｉｏｎａｌｉｔｙ)、リッチ故により複雑なリンクを、電話のために組み込むことが可能である。ここで説明する発明及び実施形態は、ワンクリック電話に基づき発呼者及び着呼者へ、特徴／機能リッチな電話エクスペリエンスを提供する。この発明は、発呼者がリンクをクリックし、そしてｇＮｕｍシステムが、残りのタスクを行って、呼を遂行し且つ呼の前／間／後に呼に関連付けられた他の全ての機能／タスクを提供するという意味で、発呼者へ真のワンクリック電話エクスペリエンスを提供する。
【００９３】
図６に、ウェブサイトから電話機へ電話をかける上記方法のためのフローチャートを示す。
【００９４】
リンクｗｗｗ.ｇｎｕｍ.ｃｏｍ／＜ｇｎｕｍ＿ｌｉｎｋ＞は、会議／グループ電話の目的で用いても良い。ここで、＜ｇｎｕｍ＿ｌｉｎｋ＞は、ｇＮｕｍシステムが会議電話であると判定するのに用いる１以上の文字列を含む。また、ｇＮｕｍシステムは、＜ｇｎｕｍ＿ｌｉｎｋ＞を処理して、会議／電話の前／間／後に実行すべき他の全てのタスクと共にかけるべき電話のために、会議のための各グループ及びそれらの電子アドレス(電話番号、コンピュータのＩＰアドレス等)を判定する。そして、ｇＮｕｍシステムは、会議／電話のために特定した全てのグループの電子アドレスを呼び出し、会議／グループ電話のための全ての呼をブリッジして行う。
【００９５】
ｇＮｕｍシステムは、例え着呼者の１以上が電話を利用可能でなくとも、残りの発呼者及び着呼者を接続する電話をかけるよう進めるといった、他の特徴を組み込んでも良い。
【００９６】
よって、通信サーバ装置１０２は、発呼装置１０４、受信装置１０６及び第三者装置(図示せず)の間のマルチパーティな通信セッションを開始するよう構成されている。このような実施において、ＵＲＬは、会議電話において呼び出される受信装置１０６ａ、１０６ｂの一つのユーザにより定義されても良い。
【００９７】
ボイスメールを送信するために、リンク／ＵＲＬを次のようにすることができる。
【００９８】
ｗｗｗ.ｇｎｕｍ.ｃｏｍ／ｖｍ／ａｄｄｒｅｓｓ
【００９９】
ここで、文字列“ａｄｄｒｅｓｓ”は、着呼者を特定するものであり、ボイスメールを送信すべき電話番号(若しくは、１以上の電話番号に関連付けられた文字列)、及び／又はボイスメールファイルを伝送すべき１以上のＥメールアドレスのいずれかである。発呼者がリンクをクリックした後、ｇＮｕｍシステムは、発呼者へ、自身の音声を用いてボイスメールを作成するよう促す。この後、発呼者はボイスメールを終わらせる。ｇＮｕｍシステムは、音声メッセージの録音を行い、“ａｄｄｒｅｓｓ”で特定される着呼者へ配信する。配信は、多くの方法で行うことができる。“ａｄｄｒｅｓｓ”の着呼者は、ＳＭＳ／Ｅメール／ＩＭ／ソーシャルネットワーキングウェブサイト等を介して招待されて、オンラインとなるか或いはボイスメールを検索すべく電話をかけることができる。或いは、リンクを、ｗｗｗ.ｇｎｕｍ.ｃｏｍでのボイスメール検索のために作成することができる。このリンクは、着呼者へ送信されるか或いはソーシャルネットワーキングウェブサイトに投稿(ポスト：ｐｏｓｔ)することができる。また、ボイスメールは、着呼者へのＥメール中で添付ファイルとして送信することもできる。
【０１００】
当業者にとって明らかな通り、他の特徴／機能、リッチ故により複雑なリンク／ＵＲＬを、音声電話と同様にしてボイスメールのために組み込むことも可能である。
【０１０１】
例えば、音声からテキストへの変換を行って、ＳＭＳとして着呼者へ送信しても良い。ここで説明する発明及び実施形態は、ワンクリック方式を用いて、特徴／機能リッチなボイスメールエクスペリエンスを提供する。
【０１０２】
よって、受信装置は、受信ユーザのためのボイスメールサービスであっても良く、通信サーバは、発呼装置とボイスメールサービスとの間の通信セッションを開始するよう構成されている。
【０１０３】
＜ｇｎｕｍ＿ｌｉｎｋ＞は、呼が映像及び／又は音声電話であるか否かについての情報を含んでも良い。会議電話の場合、ｇＮｕｍシステムは、＜ｇｎｕｍ＿ｌｉｎｋ＞を処理するか或いはオンラインアカウント情報等を用いて、発呼者及び着呼者のどの装置(コンピュータ及び／又は電話機)が映像／マルチメディア電話が可能であり、どの装置が映像／マルチメディア電話が不可能であるかを判定しても良い。よって、ｇＮｕｍシステムは、＜ｇｎｕｍ＿ｌｉｎｋ＞を処理して、呼のパラメータを決定しても良い。そして、ｇＮｕｍシステムは、純粋に映像／マルチメディア電話であるか、音声電話であるか、又は(映像／マルチメディア電話を扱うことが可能な装置を有する１以上の発呼者／着呼者に対する)映像／マルチメディア電話と(他の発呼者／着呼者に対する)音声電話とをミックスした電話を提供する。
【０１０４】
また、ｇＮｕｍシステムは、呼のためのリンク／ＵＲＬ作成、オンラインアカウントの作成及び管理等の他の多くの機能を提供しても良い。同様に、ｇＮｕｍシステムは、アカウント作成を提供しても良い。このようなアカウントを、発呼者／着呼者／第三者の電話番号及び／又はＥメールアドレス及び／又は他のオンラインアカウントへリンクし、Ｅメール、オンラインアカウント、音声電話及びＳＭＳを用いて検証を行っても良い。
【０１０５】
図８は、リンク／ＵＲＬ作成のためのｇＮｕｍシステム(又はその一部)のフローチャートを示している。図５は、図６のための典型的な電話フローを示している。図７は、図８のための、情報／アクションの典型的なフローを示している。
【０１０６】
また、特定のコンピュータ上で動作する特定のＯＳ(ｉＯＳがこのようなＯＳの一例であり得る)は、ＯＳの設定に因り、ここで説明した発呼者コンピュータと着呼者電話機との間の電話方法とは協働しない可能性もある。このような場合、発呼者コンピュータに対し、ワンタイムダウンロード及び設定を要求しても良い。このようなシステム設定は、ｇＮｕｍシステムにより発呼者コンピュータへ提供されるオンタイムソフトウェアダウンロードを用いて容易に実行されるものと予測される。
【０１０７】
ここまでは、発呼者が単純にリンクｗｗｗ.ｇｎｕｍ.ｃｏｍ／＜ｇｎｕｍ＿ｌｉｎｋ＞をクリックするか或いは対応ＵＲＬをウェブブラウザへ入力することによって開始される発呼者と着呼者との間の電話(音声／映像)のためのワンクリック方法について説明した。以降、ＳＭＳ、ボイスメール、ファックス等の他種の通信のための発明の実施形態を説明する。
【０１０８】
ＳＭＳを送信するために、リンク／ＵＲＬを、ｗｗｗ.ｇｎｕｍ.ｃｏｍ／ｓｍｓ／ｐｈｎｏ／ｔｅｘｔ_ｍｅｓｓａｇｅとすることができる。
【０１０９】
ここで、“ｐｈｎｏ”は、電話番号(或いは、１以上の電話番号及び／又は１以上のＥメールアドレスに関連付けられた文字列)であり、ｔｅｘｔ_ｍｅｓｓａｇｅは、ＳＭＳ及び／又はＥメールとして送信されるべきものである。文字列ｔｅｘｔ_ｍｅｓｓａｇｅは、ＳＭＳ及びＥメールのコンテンツである。
【０１１０】
また、当業者にとって明らかな通り、他の特徴／機能、リッチ故により複雑なリンク／ＵＲＬを、音声電話と同様にしてＳＭＳのために組み込むことも可能である。発呼者によりワンクリックで送出されるＳＭＳ及びＥメールがミックスされても良い。ここで説明する発明及び実施形態は、ワンクリック方式を用いて、特徴／機能リッチなＳＭＳ及びＥメールエクスペリエンスを提供する。
【０１１１】
ファックスを送信するために、リンク／ＵＲＬを、ｗｗｗ.ｇｎｕｍ.ｃｏｍ／ｆａｘ／ａｄｄｒｅｓｓ１／ａｄｄｒｅｓｓ２とすることができる。
【０１１２】
ここで、“ａｄｄｒｅｓｓ１”は、着呼者を特定するものであり、ファックスを伝送すべき着呼者のファックス／電話番号(或いは、１以上のファックス／電話番号及び／又はＥメールアカウントに関連付けられた文字列)である。ａｄｄｒｅｓｓ２は、ｇＮｕｍシステムがファックス文書を検索するためのアドレスである。これは、大略、発呼者コンピュータ上及び／又は特定のオンラインアカウント中のファイルに相当する。発呼者がリンクをクリックした後、ｇＮｕｍシステムは、ａｄｄｒｅｓｓ２のファイルへアクセスし、ファックスを作成する。この後、ｇＮｕｍシステムは、ファックスを終わらせる。ｇＮｕｍシステムは、ファックスを取り“ａｄｄｒｅｓｓ１”で特定される着呼者へ配信する。配信は、多くの方法で行うことができる。“ａｄｄｒｅｓｓ”の着呼者は、ＳＭＳ／Ｅメール／ＩＭ／ソーシャルネットワーキングウェブサイト等を介して招待されて、オンラインとなるか或いはファックスを検索すべくファックス電話をかけることができる。或いは、リンクを、ｗｗｗ.ｇｎｕｍ.ｃｏｍでのファックス検索のために作成することができる。このリンクは、着呼者へ送信されるか或いはソーシャルネットワーキングウェブサイトに投稿することができる。また、ファックスは、着呼者へのＥメール中で添付ファイルとして送信することもできる。
【０１１３】
また、当業者にとって明らかな通り、他の特徴／機能、リッチ故により複雑なリンク／ＵＲＬを、音声電話と同様にしてファックスメールのために組み込むことも可能である。ここで説明する発明及び実施形態は、ワンクリック方式を用いて、特徴／機能リッチなファックスエクスペリエンスを提供する。
【０１１４】
ここまでは、インターネットを閲覧するコンピュータ上の発呼者から電話番号での着呼者へのワンクリック電話のためのシステム及び方法を説明した。以降、発呼者と着呼者の少なくとも１人とがインターネットを閲覧するコンピュータを使用する場合に、発呼者から１以上の着呼者へのワンクリック電話(１対１又は会議電話)を提供するシステム及び方法を説明する。このシステム及び方法において、発呼者は、ウェブサイト、Ｅメール、ＩＭチャット、ブログ、ソーシャルネットワーキングウェブサイト等上で電話をかけるために、ＵＲＬ用のリンクをクリックする。また、発呼者は、ＵＲＬを自身のコンピュータのブラウザへ入力しても良い。このようなリンクは、次のような形式である。
【０１１５】
ｗｗｗ.ｇｎｕｍ.ｃｏｍ／＜ｇｎｕｍ＿ｌｉｎｋ＞
【０１１６】
ここで、＜ｇｎｕｍ＿ｌｉｎｋ＞は、下記のフォーマットを有している。
【０１１７】
ｓｔｒｉｎｇ１／ｓｔｒｉｎｇ２／・・・／ｓｔｒｉｎｇｎ
【０１１８】
“ｎ”個の文字列、ｓｔｒｉｎｇ１、ｓｔｒｉｎｇ２、・・・、ｓｔｒｉｎｇｎの各々は、英数字の文字である。発呼者がリンクｗｗｗ.ｇｎｕｍ.ｃｏｍ／＜ｇｎｕｍ_ｌｉｎｋ＞をクリックすると(又は、同等に自身のコンピュータのウェブブラウザへＵＲＬを入力すると)、発呼者コンピュータは、自コンピュータのウェブブラウザを介してウェブサイトｗｗｗ.ｇｎｕｍ.ｃｏｍへ訪れて、＜ｇｎｕｍ_ｌｉｎｋ＞を介してｇＮｕｍシステムが決定したサービス定義、発呼者に関する他の関連情報(発呼者コンピュータのＩＰアドレス、クリックされたリンクが位置していたウェブサイト)等を有する電話(映像／音声)をかける。＜ｇｎｕｍ_ｌｉｎｋ＞は、発呼者、着呼者及びｇＮｕｍシステム全体を保護するための暗号化された形式である場合、ｇＮｕｍシステムにより復号化する必要があり得る。また、ｇＮｕｍシステムは、(もし)発呼者がリンクをクリックした場合には、発呼者がいたウェブサイトを判定し、発呼者がＵＲＬを自身のコンピュータのウェブブラウザへ入力するか或いはリンクをクリックすることによりウェブサイトｗｗｗ.ｇｎｕｍ.ｃｏｍへ訪れた場合には、発呼者コンピュータのＩＰアドレスを判定しても良い。
【０１１９】
＜ｇｎｕｍ＿ｌｉｎｋ＞は、呼が映像及び／又は音声電話であるか否かについての情報を含んでも良い。会議電話の場合、ｇＮｕｍシステムは、＜ｇｎｕｍ＿ｌｉｎｋ＞を処理するか或いはオンラインアカウント情報等を用いて、発呼者及び着呼者のどの装置(コンピュータ及び／又は電話機)が映像／マルチメディア電話が可能であり、どの装置が映像／マルチメディア電話が不可能であるかを判定しても良い。よって、ｇＮｕｍシステムは、＜ｇｎｕｍ＿ｌｉｎｋ＞を処理して、呼のパラメータを決定しても良い。そして、ｇＮｕｍシステムは、純粋に映像／マルチメディア電話であるか、音声電話であるか、又は(映像／マルチメディア電話を扱うことが可能な装置を有する１以上の発呼者／着呼者に対する)映像／マルチメディア電話と(他の発呼者／着呼者に対する)音声電話とをミックスした電話を提供する。
【０１２０】
当業者にとって明らかな通り、コンピュータ上の発呼者と電話番号での着呼者との間で電話をかけるワンクリックシステム及び方法についての先の説明の大部分を、コンピュータ上の発呼者とコンピュータ上の着呼者の少なくとも１人との間で電話をかける現在のシチュエーションに同様に適用可能である。故に以降、先の説明からは直接的には自明では無いであろう態様についてのみ説明する。
【０１２１】
＜ｇｎｕｍ＿ｌｉｎｋ＞は再び、独立した或いは連携した発呼者及び／又は着呼者及び／又は第三者のいずれかによって作成し、カスタマイズすることができる。
【０１２２】
発呼者がリンクｗｗｗ.ｇｎｕｍ.ｃｏｍ／＜ｇｎｕｍ_ｌｉｎｋ＞をクリックしてｇＮｕｍシステムへ到達すると、ｇＮｕｍシステムは、＜ｇｎｕｍ_ｌｉｎｋ＞を処理して、着呼者の電子アドレスを判定する。これら着呼者の幾人かは電話番号を有しており、他の着呼者はオンラインアドレス(例えば、Ｓｋｙｐｅ ＩＤ ｘｘｙｙｚｚ、Ｅメールアドレスｘｙｚ＠ａｂｃ.ｃｏｍ、ｇＮｕｍ ＩＤ ｚｚｙｙｘｘ、又はＦａｃｅｂｏｏｋ ＩＤ ａｂｃ)を有しているであろう。オンラインアドレスを有する着呼者が自身のｗｗｗ.ｇｎｕｍ.ｃｏｍとのアカウントへサインインすると、ｇＮｕｍシステムは、このような着呼者のコンピュータへの呼(映像／音声、又はこれらのミックス)を確立するためのアドレス情報(ＩＰアドレス等)を知見する。
【０１２３】
同様に、着呼者は、ｇＮｕｍシステムが着呼者の身元及び呼のための通信リンクに必要なアドレス／ルーティング情報(ＩＰアドレス等)を判定するのに使用可能な、自身の共同ウェブサイト及び／又は他のウェブサイトとのオンラインアカウントへサインインしても良い。
【０１２４】
ｇＮｕｍシステムは、発呼者のオンラインソーシャルネットワーキングアカウントを用いて、処理全体を手助けしても良い。例えば、ｇＮｕｍシステムは、発呼者のＦａｃｅｂｏｏｋアカウントを用いて発呼者の代わりに、リクエスト及び／又はＩＭを着呼者のＦａｃｅｂｏｏｋアカウントへポストしても良い。ｇＮｕｍシステムは、発呼者のＦａｃｅｂｏｏｋアカウントを用いて発呼者に代わり、発呼者及び着呼者のＦａｃｅｂｏｏｋアカウントの設定通りに、Ｆａｃｅｂｏｏｋ上の友人又は家族である着呼者へリクエストを送信しても良い。また、発呼者及び着呼者は、自身のソーシャルネットワーキングアカウント(所謂、Ｆａｃｅｂｏｏｋ)をセットアップし、以てｇＮｕｍシステムが発呼者のＦａｃｅｂｏｏｋアカウントを用いて、着呼者がオンラインであるか否か、及び着呼者のどのアドレス／ルーティング情報(ＩＰアドレス等)が呼に必要なデータ通信のためのものであるか判定できるようにしても良い。このことは、発呼者及び着呼者の両者がＳｋｙｐｅ(Ｇｏｏｇｌｅ、ＭＳＮ、Ｙａｈｏｏ)アカウント等の他種のアカウントを有している場合、これらのアカウントによっても実現される。ｇＮｕｍシステムは、発呼者コンピュータ上で現在進行中の他のアクティビティ(閲覧されているソーシャルネットワーキングウェブサイトを含む他のウェブサイト、現在進行中のＶｏＩＰ及びＩＭセッション、ゲーム、ピア・ツー・ピアなファイル共有／ダウンロード、Ｓｋｙｐｅ、ＭＳＮ等のアカウントへの自動ログイン)を経由して、呼に必要な着呼者のオンラインアドレス情報を判定しても良い。また、ｇＮｕｍシステムは、発呼者の代わりに着呼者Ｅメール、ＩＭ、ゲーム／ピア・ツー・ピアサイト、ブログ投稿、チャット、Ｆａｃｅｂｏｏｋ投稿を介して、着呼者へ招待を送信しても良い。このようなｇＮｕｍシステムからの招待は、着呼者がクリックするためのリンク(着呼者用のワンクリックコールバック)を含んでも良く、以て着呼者が、ウェブサイトｗｗｗ.ｇｎｕｍ.ｃｏｍを訪問する発呼者コンピュータとの呼を持つべくコールバックすることが可能である。また、リンクは、着呼者が発呼者を特定するのに用い得る、発呼者についての情報を含んでも良い。よって、この場合、電話をかけるための着呼者コンピュータに対しては、ソフトウェアダウンロード及び／又はシステム設定が何ら要求されない。
【０１２５】
ｇＮｕｍシステムは、発呼者が着呼者について有する他の全てのアドレス情報(Ｅメールアドレス、ＩＭ、Ｆａｃｅｂｏｏｋ等)を用いて、招待を送信し呼を着呼者へ接続するのに必要な情報を提供する。また、ｇＮｕｍシステムは、発呼者のオンラインアカウント(発呼者と着呼者の間における、ＶｏＩＰ電話を介したサーチ、最近のチャット、Ｅメール、ＩＭログ等)を経由して、ｇＮｕｍシステムが電話をかけるべく着呼者を接続するのに必要な、着呼者用のアドレス情報を判定しても良い。ｇＮｕｍシステムがアドレス情報を所有し且つ呼のためのＴＦＦ(ｔａｓｋｓ、ｆｅａｔｕｒｅｓ、ｆｕｎｃｔｉｏｎｓ)が決定されると、ｇＮｕｍシステムは、着呼者へ電話をかけて、呼を確立する。ｇＮｕｍシステムは、１以上の着呼者が呼のために利用可能では無い場合であっても残りの発呼者及び着呼者を接続する電話をかけることを進められるよう、他の特徴を組み込んでも良い。
【０１２６】
他の実施形態において、コンピュータ同士間でのワンクリック電話用のリンクの例は、次の通りである。
【０１２７】
ｗｗｗ.ｇｎｕｍ.ｃｏｍ／ｃａｌｌｅｅ＠ａｂｃ１．ｃｏｍ／ｃａｌｌｅｅ＠ａｂｃ２．ｃｏｍ／ｃａｌｌｅｒ／ｃａｌｌｅｒ_ＩＤ_ｉｎｆｏ
【０１２８】
発呼者がリンクをクリックすると、発呼者コンピュータがウェブサイトｗｗｗ.ｇｎｕｍ.ｃｏｍへ訪れ、ｇＮｕｍシステムは、文字列ｃａｌｌｅｒ_ＩＤ_ｉｎｆｏを介して発呼者を特定し、以下のリンクを作成する。
【０１２９】
ｗｗｗ.ｇｎｕｍ.ｃｏｍ／ｃａｌｌｅｒ_ＩＤ_ｉｎｆｏ／ｃａｌｌｅｅ＠ａｂｃ１．ｃｏｍ／ｃａｌｌｅｅ＠ａｂｃ２．ｃｏｍ
【０１３０】
そして、ｇＮｕｍシステムは、このリンクを、ｃａｌｌｅｅ＠ａｂｃ１．ｃｏｍ及びｃａｌｌｅｅ＠ａｂｃ２．ｃｏｍの着呼者宛てのＥメールにて送信する。他の例においては、リンクを、ＩＭ、ＳＭＳ、Ｆａｃｅｂｏｏｋ投稿、ブログ等を介して着呼者へ送信することができる。着呼者が２通のＥメールのいずれかの中のリンクをクリックすると、着呼者コンピュータがｗｗｗ.ｇｎｕｍ.ｃｏｍへ訪れ、ｇＮｕｍシステムは、ｃａｌｌｅｒ_ＩＤ_ｉｎｆｏを介して発呼者を特定し、発呼者と着呼者との間に呼を確立する。
【０１３１】
図１２は、発呼者コンピュータから着呼者コンピュータへ電話をかける上記方法のためのフローチャートを示している。
【０１３２】
発呼者が、電話をかけるために、何らソフトウェアをダウンロードせず、自身のコンピュータを設定しなくても良いことを再び断言する。電話は、発呼者がウェブブラウザを用いて、(ウェブページ上、又はＥメール、ＩＭチャット等中の)リンクをクリックする或いはＵＲＬをウェブブラウザへ入力することによってかけられる。
【０１３３】
以下、着呼者がソフトウェアアプリケーションをダウンロードし且つ自身のコンピュータを設定する一方で、コンピュータ上でインターネットブラウザを用いる発呼者(ソフトウェアダウンロード等は不要)に対しワンクリック電話を提供するために使用可能な２つの技術を説明する。
【０１３４】
１番目のものは、発呼者及び着呼者に対し、ソフトウェアをダウンロード済みの他者へ映像及び／又は音声電話をかけるのに用いるべく、ソフトウェアアプリケーションのダウンロード及びコンピュータの設定を要求するＶｏＩＰプロバイダのための実施形態である。発呼者及び着呼者は、互いを呼び出すことを優先すべきであっても良い。このようなプロバイダの一つがＳｋｙｐｅｉであると言及したい。今、着呼者がＳｋｙｐｅｉ ＩＤ ａｂｃを伴うＳｋｙｐｅｉアカウントを有し、発呼者が当該着呼者へワンクリック電話をかけたいと望んでいるとする。この場合、発呼者は、次のようなＵＲＬ用のリンクをクリックできる。
【０１３５】
ｗｗｗ．ｓｋｙｐｅｉ.ｃｏｍ／ａｂｃ
【０１３６】
或いは、発呼者は、ＵＲＬを自身のコンピュータのブラウザへ入力することもできる。発呼者は、以下のＳｋｙｐｅｉウェブサイトへ訪れる。
【０１３７】
ｗｗｗ．ｓｋｙｐｅｉ.ｃｏｍ
【０１３８】
そして、発呼者は、Ｓｋｙｐｅｉサーバへ、Ｓｋｙｐｅｉ ＩＤ ａｂｃを有する着呼者へ電話をかけたい旨を指示する。Ｓｋｙｐｅｉサーバは、(着呼者コンピュータ上で動作するＳｋｙｐｅｉソフトウェアを介して)着呼者用のルーティング及びオンラインアドレス情報を知見し、Ｓｋｙｐｅｉウェブサイトを閲覧している発呼者を知見する。このため、Ｓｋｙｐｅｉサーバは、発呼者と着呼者との間に呼を確立する。
【０１３９】
更に別の実施形態においては、ＵＲＬ用のリンクを次のようなものとすることができる。
【０１４０】
ｗｗｗ．ｓｋｙｐｅｉ.ｃｏｍ／ａｂｃ／ｄｅｆ
【０１４１】
ここで、ｄｅｆは発呼者のＳｋｙｐｅｉ ＩＤである。発呼者によりリンクがクリックされると、Ｓｋｙｐｅｉサーバは、発呼者及び着呼者のＳｋｙｐｅｉ ＩＤ(両者のＳｋｙｐｅｉ ＩＤ、並びに発呼者のＳｋｙｐｅｉアカウント識別情報／サインイン情報にそれぞれ対応する文字列ｄｅｆ及びａｂｃ)を知見し、以て発呼者のＳｋｙｐｅｉアカウントから着呼者を呼び出す。再び、呼が、発呼者コンピュータ(Ｓｋｙｐｅｉソフトウェアのダウンロードは不要)と、Ｓｋｙｐｅｉソフトウェアがダウンロード／設定された着呼者コンピュータとの間に確立される。また、Ｓｋｙｐｅｉサーバは、発呼者が電話をかける前に自身のＳｋｙｐｅｉオンラインアカウントへサインインすることを要求しても良い。サインイン情報は、発呼者が電話をかけるためにクリックするリンクの一部であっても良く、発呼者部分には、追加ステップを要求しなくても良い。また、発呼者のオンラインＳｋｙｐｅｉアカウントは、どのＳｋｙｐｅｉ ＩＤが、発呼者が各種パーミッション及び利用可能な着呼者に基づき通信可能なものであるかについての情報を含んでも良い。他の実施形態において、発呼者が、ｗｗｗ．ｓｋｙｐｅｉ.ｃｏｍとの自身のオンラインアカウントへサインインし、Ｓｋｙｐｅｉサーバが、発呼者へそのアカウントを介して、各種着呼者のためにクリックすべきリンク(或いは、他の何らかの同等の方法)を提示しても良い。
【０１４２】
図９は、上記方法を用いてコンピュータ同士間で電話をかけるこのようなシステム及び方法のためのフローチャートを示している。
【０１４３】
また、独立した第三者、所謂ｗｗｗ.ｇｎｕｍ.ｃｏｍでのｇＮｕｍシステムが、発呼者コンピュータに対するダウンロードを不要としつつ、２つのＳｋｙｐｅｉアカウント保持者の間に呼を提供する可能性もある。この場合、発呼者がクリックするためのリンクは、以下のＵＲＬを有することができる。
【０１４４】
ｗｗｗ.ｇｎｕｍ.ｃｏｍ／ｃａｌｌｅｒ_ｇｎｕｍ_ＩＤ／ｃａｌｌｅｒ_Ｓｋｙｐｅｉ_ＩＤ／ｃａｌｌｅｅ_Ｓｋｙｐｅｉ_ＩＤ
【０１４５】
発呼者がリンクをクリックすると、発呼者コンピュータがｗｗｗ.ｇｎｕｍ.ｃｏｍへ訪れる。ｇＮｕｍシステムは、これを、ｃａｌｌｅｒ_ｇｎｕｍ_ＩＤで特定される発呼者が、発呼者のＳｋｙｐｅｉ ＩＤ ｃａｌｌｅｒ_Ｓｋｙｐｅｉ_ＩＤと着呼者のＳｋｙｐｅｉ ＩＤ ｃａｌｌｅｅ_Ｓｋｙｐｅｉ_ＩＤとの間で電話をかけることを要求していると認識する。ｇＮｕｍシステムは、下記のタスク１〜４を実行しても良い。
【０１４６】
１．ｇＮｕｍサーバ上でＳｋｙｐｅｉソフトウェアのインスタンスを実行し、Ｓｋｙｐｅｉ ＩＤ ｃａｌｌｅｒ_Ｓｋｙｐｅｉ_ＩＤを用いて、発呼者のＳｋｙｐｅｉアカウントへログインする。
２．Ｓｋｙｐｅｉアカウントｃａｌｌｅｒ_Ｓｋｙｐｅｉ_ＩＤから、Ｓｋｙｐｅｉ ＩＤ ｃａｌｌｅｅ_Ｓｋｙｐｅｉ_ＩＤを呼び出す。
３．電話がかかった際、ｗｗｗ.ｇｎｕｍ.ｃｏｍでの発呼者を、Ｓｋｙｐｅｉ ＩＤ ｃａｌｌｅｒ_Ｓｋｙｐｅｉ_ＩＤとｃａｌｌｅｅ_Ｓｋｙｐｅｉ_ＩＤとの間の呼へ接続する。このような呼は、呼に必要となるデータ通信のためにピア・ツー・ピア方式を活用することができる。また、ｇＮｕｍシステムは、発呼者コンピュータと、ｇＮｕｍシステムと、Ｓｋｙｐｅｉ ＩＤ ｃａｌｌｅｒ_Ｓｋｙｐｅｉ_ＩＤ及びｃａｌｌｅｅ_Ｓｋｙｐｅｉ_ＩＤの間のＳｋｙｐｅｉ呼との間のデータ通信に必要となるコーデック及びデータフォーマットを変更すべきであっても良い。
４．電話が完了すると、ｇＮｕｍシステムは、発呼者のＳｋｙｐｅｉアカウントｃａｌｌｅｒ_Ｓｋｙｐｅｉ_ＩＤからサインアウトする。
【０１４７】
図１０は、上記方法を用いてコンピュータ同士間で電話をかけるこのようなシステム及び方法のためのフローチャートを示している。
【０１４８】
更に別の技術において、発呼者及び着呼者は、Ｓｋｙｐｅｉソフトウェアを自身のコンピュータへダウンロードして設定しても良い。発呼者は、着呼者へ電話をかけたい場合、自身のコンピュータ上で動作するＳｋｙｐｅｉアプリケーションを用いて、着呼者名をクリックし呼を開始する。但し、着呼者が自身のコンピュータで動作するＳｋｙｐｅｉアプリケーション上で呼を受信すべくコンピュータを利用可能で無ない場合、発呼者は、電話をかけることができなくても良い。このような場合、Ｓｋｙｐｅｉサーバは、着呼者がクリックするためのリンクを作成し、このようなリンクを着呼者へＥメール、ＩＭ、着呼者のＦａｃｅｂｏｏｋへの投稿等を介して送信しても良い。着呼者は、リンクを、Ｅメール、ＩＭ、Ｆａｃｅｂｏｏｋ(他のソーシャルネットワーキングウェブサイト)、ブログ等中で発見し、望むならクリックしても良い。着呼者は、リンクをクリックするとｗｗｗ.ｓｋｙｐｅｉ.ｃｏｍを訪れ、Ｓｋｙｐｅｉサーバは、これが発呼者と着呼者との間の呼を意味すると認識し、発呼者と着呼者との間の呼の確立を進める。
【０１４９】
図１１は、上記方法を用いてコンピュータ同士間で電話をかけるこのようなシステム及び方法のためのフローチャートを示している。
【０１５０】
当然のことながら、ここで説明したシステム及び方法はワンクリック電話(ワンステップ電話)に対応し得るものであるが、当業者にとって明らかなように、その概念は他のワンステップを介して実施されても良い。このようなワンクリック(ステップ)システム及び方法、又は他のワンクリック(ステップ)システム及び方法を介して実施するか否かの全ての技術は、ここで説明した技術の範囲に含まれる。
【０１５１】
上述した通り、ＵＲＬは多くの方法でアクティブ化され得る。例えば上述したが、一の方法は、ＵＲＬにより定義されるウェブリソースを指し示すハイパーリンクを選択することである。他の方法は、ＵＲＬをウェブブラウザのアドレスバーへ入力し“ＥＮＴＥＲ”を押下して、ＵＲＬをアクティブ化することである。なお、特定のアプリケーション及び所謂、発呼装置の特定のハードウェア構成次第では、ハイパーリンクのアクティブ化が、ウェブブラウザから独立したソフトウェアアプリケーションを、ＵＲＬの選択／アクティブ化に応じて呼び出すと好適である。正確な設定に応じて、ソフトウェアアプリケーションが、ウェブブラウザの前後に開始されるか、ウェブブラウザの代わりに開始されるようにしても良い。このような配置は、スマートフォン、ＰＤＡ及びタブレットデバイスにおいて特に有益であろう。
【０１５２】
当然のことながら、本発明を、ほんの一例として説明した。特許請求の範囲を逸脱すること無く、種々の変更がここで説明した技術へ行われても良い。開示される技術は、独立した方式、又は他の方式との組合せで提供される技術を含む。このため、一の技術に関して説明した特徴を、他の技術と組み合せて提示しても良い。
【図１】
2015532802.tif 000003
【図３】
2015532802.tif 000004
【図６】
2015532802.tif 000005
【図８】
2015532802.tif 000006
【図９】
2015532802.tif 000007
【図１０】
2015532802.tif 000008
【図１１】
2015532802.tif 000009
【図１２】
2015532802.tif 000010
【図２】
2015532802.tif 000011
【図４】
2015532802.tif 000012
【図５】
2015532802.tif 000013
【図７】
2015532802.tif 000014
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
プロセッサと、メモリと、を備えた通信サーバ装置であって、
前記プロセッサの制御下で、前記メモリに記憶される命令を実行して、
通信リンク上で、発呼装置での発呼者入力に関連したＵＲＬ情報を受信し、
前記ＵＲＬ情報を用いて、受信装置を特定し、
前記発呼装置と前記受信装置との間の通信セッションを開始し、
前記発呼者入力は、前記受信装置との前記通信セッションの要求としての、ウェブリソースを定義するＵＲＬの選択又はアクティブ化であり、
前記ＵＲＬは、前記受信装置の受信ユーザにより定義されている、
通信サーバ装置。
【請求項２】
請求項１において、
前記ＵＲＬ情報の受信に応じて、ウェブページ情報を前記発呼装置へ送信し、
前記ウェブページ情報は、前記発呼装置と前記受信装置との間の前記通信セッションを導く（ｃｈａｎｎｅｌｌｉｎｇ）アプリケーション用のアプリケーションコード、を含む、
ことを特徴とした通信サーバ装置。
【請求項３】
請求項２において、
前記発呼装置上のウェブブラウザプログラムのバックグラウンドで動作するアプリケーション用のアプリケーションコードを、前記発呼装置へ送信する、
ことを特徴とした通信サーバ装置。
【請求項４】
請求項２又は３において、
前記発呼装置にｉｎｉｔｉａｔｅ ｃａｌｌ ｒｅｑｕｅｓｔを自通信サーバ装置へ送信させるためのアプリケーションコードを、前記発呼装置へ送信し、
前記ｉｎｉｔｉａｔｅ ｃａｌｌ ｒｅｑｕｅｓｔは、前記受信装置への呼を開始せよとの要求である、
ことを特徴とした通信サーバ装置。
【請求項５】
請求項４において、
前記ｉｎｉｔｉａｔｅ ｃａｌｌ ｒｅｑｕｅｓｔを受信したことに応じ、前記ＵＲＬ情報を用いて前記受信装置用の呼識別子を検索し、前記呼識別子を用いて前記受信装置への呼を開始する、
ことを特徴とした通信サーバ装置。
【請求項６】
請求項１〜５のいずれか一項において、
前記発呼装置と前記受信装置との間の前記通信セッションを、前記発呼装置での前記ＵＲＬの選択又はアクティブ化のみに基づき導く、
ことを特徴とした通信サーバ装置。
【請求項７】
請求項１〜６のいずれか一項において、
前記受信装置は、前記受信ユーザのためのボイスメール（ｖｏｉｃｅｍａｉｌ）サービスであり、
前記発呼装置と前記ボイスメールサービスとの間の通信セッションを開始する、
ことを特徴とした通信サーバ装置。
【請求項８】
請求項１〜７のいずれか一項において、
前記発呼装置、前記受信装置及び第三者（ｔｈｉｒｄ−ｐａｒｔｙ）装置の間のマルチパーティ（ｍｕｌｔｉ−ｐａｒｔｙ）な通信セッションを開始する、
ことを特徴とした通信サーバ装置。
【請求項９】
プロセッサと、メモリと、を備えた発呼装置であって、
前記プロセッサの制御下で、前記メモリに記憶される命令を実行して、
発呼者入力を受信し、
通信リンク上で、前記発呼者入力に関連したＵＲＬ情報を、通信サーバ装置へ送信して、前記通信サーバ装置が前記ＵＲＬ情報を用いて受信装置を特定できるようにし、
通信セッションが前記通信サーバ装置により開始されたことに応じて、前記通信リンク上で、前記受信装置と通信し、
前記発呼者入力は、前記受信装置との前記通信セッションの要求としての、ウェブリソースを定義するＵＲＬの選択又はアクティブ化であり、
前記ＵＲＬは、前記受信装置の受信ユーザにより定義されている、
発呼装置。
【請求項１０】
請求項９において、
前記通信サーバ装置から、ウェブページ情報を受信し、
前記ウェブページ情報は、自発呼装置と前記受信装置との間の前記通信セッションを導くアプリケーション用のアプリケーションコード、を含む、
ことを特徴とした発呼装置。
【請求項１１】
請求項１０において、
前記通信サーバ装置から、自発呼装置上のウェブブラウザプログラムのバックグラウンドで動作するアプリケーション用のアプリケーションコードを、受信する、
ことを特徴とした発呼装置。
【請求項１２】
通信サーバ装置において実施される方法であって、
前記通信サーバ装置のプロセッサの制御下で、
通信リンク上で、発呼装置での発呼者入力に関連したＵＲＬ情報を受信し、
前記ＵＲＬ情報を用いて、受信装置を特定し、
前記発呼装置と前記受信装置との間の通信セッションを開始する、ことを含み、
前記発呼者入力は、前記受信装置との前記通信セッションの要求としての、ウェブリソースを定義するＵＲＬの選択又はアクティブ化であり、
前記ＵＲＬは、前記受信装置の受信ユーザにより定義されている、
方法。
【請求項１３】
発呼装置において実施される方法であって、
前記発呼装置のプロセッサの制御下で、
発呼者入力を受信し、
通信リンク上で、前記発呼者入力に関連したＵＲＬ情報を、通信サーバ装置へ送信して、前記通信サーバ装置が前記ＵＲＬ情報を用いて受信装置を特定できるようにし、
通信セッションが前記通信サーバ装置により開始されたことに応じて、前記通信リンク上で、前記受信装置と通信する、ことを含み、
前記発呼者入力は、前記受信装置との前記通信セッションの要求としての、ウェブリソースを定義するＵＲＬの選択又はアクティブ化であり、
前記ＵＲＬは、前記受信装置の受信ユーザにより定義されている、
方法。
【請求項１４】
処理装置の制御下で請求項１２又は１３に記載の方法を実行するためのコンピュータ可読命令を、記憶したコンピュータ可読媒体。
【国際調査報告】
2015532802.tif 000015
2015532802.tif 000016
2015532802.tif 000017